(57)【要約】【課題】表示パネルを載置部に位置決めして保持し、接触子を表示パネルの電極部の配列方向に沿って移動して電極部に高精度に位置合わせできるようにする表示用ソケットを提供する。【解決手段】表示パネル６を収納して位置決め保持する矩形状の載置部７を上面に備えたソケット本体部１と、載置部７上面に収納された表示パネル６の一隅部をこれに対向する載置部内側壁に向けて弾力的に押圧し当接させる押圧手段２と、表示パネル６に複数配列して形成された電極部９ｂと接触する接触子３と、この接触子３を搭載して電極部９ａの配列方向に沿って移動可能にされ、接触子３及び電極部９ａを位置合わせする調整手段４と、載置部７上面に位置決め保持された表示パネル６を上方から押圧して電極部９ｂ及び接触子３を接触させるソケットカバー５と、を備えたものである。【選択図】　　　図１
2004109593.tif 000002
【特許請求の範囲】
【請求項１】
表示パネルを収納して位置決め保持する矩形状の載置部を上面に備えたソケット本体部と、
前記載置部上面に収納された表示パネルの一隅部をこれに対向する載置部内側壁に向けて弾力的に押圧して当接させる押圧手段と、
前記表示パネルに複数配列して形成された電極部と接触する接触子と、
該接触子を搭載して前記電極部の配列方向に沿って移動可能にされ、該接触子及び前記電極部を位置合わせする調整手段と、
前記載置部上面に位置決め保持された表示パネルを上方から押圧して前記電極部及び接触子を接触させるソケットカバーと、
を備えたことを特徴とする表示パネル用ソケット。
【請求項２】
前記押圧手段は、前記載置部上面に収納された表示パネルの一隅部にて直交する側面部のそれぞれに当接して押圧する接触部を備え、該接触部に対して線対称に設けた一対のループ状弾性部で上記接触部を弾力的に支持したことを特徴とする請求項１記載の表示パネル用ソケット。
【請求項３】
前記接触部は、互いに連結された二つの当接部を有して前記表示パネルの直交する側面部のそれぞれに当接し、前記接触部の前記表示パネルの押圧方向後方部にて一端部が回動可能に軸支され、前記接触部の一部を係止させた操作レバーの回動操作により退避動作をするようにしたことを特徴とする請求項２記載の表示パネル用ソケット。
【請求項４】
前記接触部は、互いに分離された二つの当接部を有して前記表示パネルの直交する側面部のそれぞれに当接し、前記接触部の前記表示パネルの押圧方向後方部にて一端部が回動可能に軸支され、前記接触部を支持して他の回転軸で回動可能に軸支された可動板の一部を係止させた操作レバーの回動操作により、前記回動板を回動させて退避動作をするようにしたことを特徴とする請求項２記載の表示パネル用ソケット。
【請求項５】
前記操作レバーは、回動操作により前記接触部を前記載置部から退避させた状態にて該操作レバーの根元部に可動板の一部を係止して可動板の回動を阻止する部分を形成したことを特徴とする請求項４記載の表示パネル用ソケット。
【請求項６】
前記接触子は、前記表示パネルの電極部と同ピッチで同数配列して設けられたフレキシブル基板の電極端子部であることを特徴とする請求項１記載の表示パネル用ソケット。
【請求項７】
前記調整手段は、前記接触子を搭載して移動可能な調整板と、該調整板の一側方に設けた偏心カムと、該調整板の他側方に設られ該調整板を前記偏心カム側に付勢する弾性部材とを備え、前記偏心カムの周面部から外方に延設するレバーの回動操作により、前記調整板に往復直進動作をさせるようにしたことを特徴とする請求項１記載の表示パネル用ソケット。
【請求項８】
前記載置部は、上面に収納された表示パネルの下方で少なくとも電極部に対応する部位に、緩衝部材を設けて前記表示パネルを支持するようにしたことを特徴とする請求項１記載の表示パネル用ソケット。
【請求項９】
前記ソケット本体部は、前記載置部上面に収納された表示パネルの表示面に対応する部位に貫通する開口部を設けたことを特徴とする請求項１記載の表示パネル用ソケット。
【請求項１０】
前記ソケットカバーは、その下面に、前記載置部上面に収納された表示パネルの少なくとも対向する側辺部を押圧する一対の押圧部材を突出して設けたことを特徴とする請求項１記載の表示パネル用ソケット。
【請求項１１】
前記ソケットカバーは、前記一対の押圧部材間に貫通する開口部を設けたことを特徴とする請求項１０記載の表示パネル用ソケット。
【請求項１２】
前記ソケットカバーは、その一端部が前記ソケット本体部の側辺部に回動可能に保持され、他端部に設けた係止レバーで前記ソケット本体部の側面部に係止して固定される構成としたことを特徴とする請求項１０または１１記載の表示パネル用ソケット。
【発明の詳細な説明】
【０００１】
【発明の属する技術分野】
本発明は、表示パネルの品質検査または耐久試験等に使用される表示パネル用ソケットに関し、詳しくは、表示パネルを載置部に位置決めして保持し、接触子を表示パネルの電極部の配列方向に沿って移動して該電極部に高精度に位置合わせできるようにする表示パネル用ソケットに係るものである。
【０００２】
【従来の技術】
従来の表示パネル用ソケットは、例えば、ソケット本体部中央部に設けられた矩形状の載置部の周縁部に設けた位置決め片に、表示パネルの側面部を弾力的に圧接して位置決めし、ソケット本体部側辺部に備えたパネル押圧部材で表示パネルをソケット本体部内側に向けて押圧し、ソケット本体部側辺部に予め設けられたフレキシブル基板（Ｆｌｅｘｉｂｌｅ　Ｐｒｉｎｔｅｄ　Ｃｉｒｃｕｉｔｓ：以下「ＦＰＣ」と略称する）の接触子と表示パネルの周縁部に沿って設けられた電極部とを弾力的に接触させるようにしたものである（特許文献１参照）。これによれば、表示パネルを位置決め片に圧接して保持し、パネル押圧部材で上方より押圧することにより表示パネルの電極部とＦＰＣの接触子とを確実に接触させることができる。
【０００３】
【特許文献１】
特開平１１−１７４１０３号公報　（第３頁、図１）
【０００４】
【発明が解決しようとする課題】
しかし、このような従来の表示パネル用ソケットにおいては、ソケット本体部の載置部の周縁部に設けた位置決め片を基準にして位置決め固定されたＦＰＣの接触子に対して、表示パネルの側面部を上記位置決め片に当接させて位置決めし、表示パネルの電極部と位置合わせをするようにしていたため、表示パネルの切り出し精度が悪いときには、表示パネルの電極部とＦＰＣの接触子との位置合わせが高精度にできないことがあった。特にこのことは、電極配列ピッチが小さくて位置合わせ誤差の許容範囲の小さい小型の表示パネルにおいて顕著であった。したがって、このような表示パネルの側面部を基準にして、固定されたＦＰＣの接触子に対して位置合わせした場合、表示パネルの電極部とＦＰＣの接触子とが最大一ピッチ以上ずれて位置合わせされることがあり、所定の電極に所定の信号を供給することができず、表示パネルの正しい品質検査及び耐久試験、バーンイン試験等ができないことがあった。
【０００５】
これに対処して、上述のような小型の表示パネルの場合は、電極部にＦＰＣを熱圧着したモジュールの形態で検査または試験に供されていた。しかし、この場合は、不良品を含む全ての表示パネルについて、ＦＰＣ組立て工程を終える必要があるため工数の無駄が多く非能率的であった。
【０００６】
そこで、本発明は、このような問題点に対処し、表示パネルを載置部に位置決めして保持し、接触子を表示パネルの電極部の配列方向に沿って移動して該電極部に高精度に位置合わせできるようにする表示パネル用ソケットを提供することを目的とする。
【０００７】
【課題を解決するための手段】
上記目的を達成するために、本発明による表示パネル用ソケットは、表示パネルを収納して位置決め保持する矩形状の載置部を上面に備えたソケット本体部と、前記載置部上面に収納された表示パネルの一隅部をこれに対向する載置部内側壁に向けて弾力的に押圧して当接させる押圧手段と、前記表示パネルに複数配列して形成された電極部と接触する接触子と、該接触子を搭載して前記電極部の配列方向に沿って移動可能にされ、該接触子及び前記電極部を位置合わせする調整手段と、前記載置部上面に位置決め保持された表示パネルを上方から押圧して前記電極部及び接触子を接触させるソケットカバーと、を備えたものである。
【０００８】
このような構成により、ソケット本体部の上面に設けた矩形状の載置部上面に表示パネルを収納し、押圧手段で表示パネルの一隅部をこれに対向する載置部内側壁に向けて弾力的に押圧して当接させ、調整手段で表示パネルに複数配列して形成された電極部に対して接触子を電極部の配列方向に移動して位置合わせし、ソケットカバーで表示パネルを上方から押圧して電極部及び接触子を接触させる。これにより、電極部の配列ピッチの小さい小型の表示パネルにおいても電極部及び接触子を高精度に位置合わせして電気的接続を確保し、品質検査または耐久試験等を可能にする。
【０００９】
また、前記押圧手段は、前記載置部上面に収納された表示パネルの一隅部にて直交する側面部のそれぞれに当接して押圧する接触部を備え、該接触部に対して線対称に設けた一対のループ状弾性部で上記接触部を弾力的に支持したものである。これにより、接触部に対して線対称に設けた一対のループ状弾性部で接触部を弾力的に支持し、この接触部で表示パネルの一隅部にて直交する側面部のそれぞれを押圧する。
【００１０】
さらに、前記接触部は、互いに連結された二つの当接部を有して前記表示パネルの直交する側面部のそれぞれに当接するようにされ、前記接触部の前記表示パネルの押圧方向後方部にて一端部が回動可能に軸支され、前記接触部の一部を係止させた操作レバーの回動操作により前記接触部に退避動作を付与するようにしたものである。これにより、互いに連結された二つの当接部で表示パネルの直交する側面部のそれぞれに当接し、接触部の表示パネルの押圧方向後方部にて一端部が回動可能に軸支された操作レバーで接触部の一部を係止し、操作レバーを回動して接触部に退避動作をさせる。
【００１１】
さらにまた、前記接触部は、互いに分離された二つの当接部を有して前記表示パネルの直交する側面部のそれぞれに当接し、前記接触部の前記表示パネルの押圧方向後方部にて一端部が回動可能に軸支され、前記接触部を支持して他の回転軸で回動可能に軸支された可動板の一部を係止させた操作レバーの回動操作により前記回動板を回動させて退避動作をするようにしたものである。これにより、互いに分離された二つの当接部で表示パネルの直交する側面部のそれぞれに当接し、接触部の表示パネルの押圧方向後方部にて一端部が回動可能に軸支された操作レバーで接触部を支持して他の回転軸で回動可能に軸支された可動板の一部を係止し、操作レバーを回動して回動板を回動させ、接触部に退避動作をさせる。
【００１２】
そして、前記操作レバーは、回動操作により前記接触部を前記載置部から退避させた状態にて該操作レバーの根元部に可動板の一部を係止して可動板の回動を阻止する部分を形成したものである。これにより、操作レバーの根元部に形成された可動板の回動を阻止する部分で可動板の一部を係止して可動板の回動を阻止し、接触部を載置部から退避させた状態に保持する。
【００１３】
また、前記接触子は、前記表示パネルの電極部と同ピッチで同数配列して設けられたフレキシブル基板の電極端子部である。これにより、フレキシブル基板の電極端子部で表示パネルの電極部と同ピッチで同数配列した接触子を形成する。
【００１４】
さらに、前記調整手段は、前記接触子を搭載して移動可能な調整板と、該調整板の一側方に設けた偏心カムと、該調整板の他側方に設けられ該調整板を前記偏心カム側に付勢する弾性部材とを備え、前記偏心カムの周面部から外方に延設するレバーの回動操作により、前記調整板に往復直進動作をさせるようにしたものである。これにより、調整板に接触子を搭載し、弾性部材で調整板を付勢して偏心カムの周面部に当接し、カムの周面部から外方に延設するレバーで偏心カムを回動操作して調整板に往復直進動作をさせる。
【００１５】
また、前記載置部は、上面に収納された表示パネルの下方で少なくとも電極部に対応する部位に、緩衝部材を設けて前記表示パネルを支持するようにしたものである。これにより、緩衝部材で載置部上面に収納された表示パネルの少なくとも電極部を下方から支持する。
【００１６】
さらに、前記ソケット本体部は、前記載置部上面に収納された表示パネルの表示面に対応する部位に貫通する開口部を設けたものである。これにより、貫通する開口部で載置部上面に収納された表示パネルの表示部の観察を可能にする。
【００１７】
また、前記ソケットカバーは、その下面に、前記載置部上面に収納された表示パネルの少なくとも対向する側辺部を押圧する一対の押圧部材を突出して設けたものである。これにより、ソケットカバーの下面に突出して設けた押圧部材で載置部上面に収納された表示パネルの少なくとも対向する側辺部を押圧する。
【００１８】
さらに、前記ソケットカバーは、前記一対の押圧部材間に貫通する開口部を設けたものである。これにより、一対の押圧部材間に設けた開口部で外光を取り入れ、表示パネルの表示部の表示状態を観察可能にする。
【００１９】
そして、前記ソケットカバーは、その一端部が前記ソケット本体部の側辺部に回動可能に保持され、他端部に設けた係止レバーで前記ソケット本体部の側面部に係止して固定される構成としたものである。これにより、ソケットカバーを、一端部をソケット本体部の側辺部に保持して回動し、他端部に設けた係止レバーでソケット本体部の側面部に係止して固定する。
【００２０】
【発明の実施の形態】
以下、本発明の実施の形態を添付図面に基づいて詳細に説明する。
図１は本発明による表示パネル用ソケットの実施の形態を示す平面図である。この表示パネル用ソケットは、液晶表示素子（ＬＣＤ）パネル、エレクトロルミネセンス（ＥＬ）パネル、ＦＥＤ（Ｆｉｅｌｄ　Ｅｍｉｓｓｉｏｎ　Ｄｉｓｐｌａｙ）パネル等のＦＰＤ（Ｆｌａｔ　Ｐａｎｅｌ　Ｄｉｓｐｌａｙ）の品質検査または耐久試験等に用いられるものであり、ソケット本体部１と、押圧手段２と、接触子３と、調整手段４と、ソケットカバー５とを備えている。
【００２１】
ソケット本体部１は、後述の表示パネル６を収納して保持するものであり、中央部上面に矩形状の載置部７を設けている。この載置部７は、表示パネル６の三方の隅部に対応する部位に位置決め部７ａ〜７ｃが形成され、表示パネル６の側面部を当接させて位置決めできるようになっている。そして、図２に示すように、載置部７上面に収納された表示パネル６の下方で表示パネル６の電極部に対応する部位７ｄとこの部位７ｄの対辺部位７ｅとにシリコーンゴム等からなる緩衝部材８ａ，８ｂを配置して表示パネルを支持するようにしている。なお、緩衝部材８ａは、後述する調整手段４の調整板の側辺部に固着されており、調整板と共に移動するようになっている。
【００２２】
表示パネル６は、図３に示すように、例えば、基板９の表面部に表示部９ａが形成され、基板９の一縁部に沿って所定のピッチで複数の電極部９ｂが配列され、表示部９ａを覆ってその表示部９ａと対向する面に図示省略の透明電極を形成した透明な対向基板１０を接合して構成されている。したがって、上述の場合、緩衝部材８ａで表示パネル６の電極部９ｂを支持し、緩衝部材８ｂで対向基板１０の面を支持することになる（図２参照）。なお、緩衝部材８ａは緩衝部材８ｂよりも硬度を高くして形成し、表示パネル６の電極部９ｂを後述のＦＰＣ２５を介して弾力的に支持すると共に、電極部９ｂとＦＰＣ２５の接触子との電気的接続を確実なものとさせている。そして、緩衝部材８ａの硬度を高くするには厚みを薄く形成することにより実現できる。
【００２３】
また載置部７には、図２に示すように、上面に収納された表示パネル６の表示部９ａ対応部に貫通する開口部１１が設けられており、開口部１１を通して表示部９ａの点灯検査ができるようになっている。そして、開口部１１は、外側に向かって広がったテーパー状に形成されており、斜め方向からの目視検査もできるようになっている。
【００２４】
上記ソケット本体部１の載置部７で、図１に示す位置決め部７ｂの対角方向には、押圧手段２が設けられている。この押圧手段２は、図４に示すように載置部７上面に収納された表示パネル６の一隅部をこれに対向する載置部７内側壁にて位置決め部７ａ〜７ｃに向けて弾力的に押圧し、表示パネル６の側面部を当接させて保持するものであり、押圧部１２と、操作レバー１３とを備えている。
【００２５】
押圧部１２は、載置部７上面に収納された表示パネル６の直交する側面部６ａ，６ｂに当接して４５度方向に押圧するものであり、例えば、接触部としての一対の連結した当接部１４ａ，１４ｂを備え、当接部１４ａ，１４ｂに対して線対称に設けた一対のループ状弾性部１５ａ，１５ｂで当接部１４ａ，１４ｂを弾力的に支持したものである。そして、矢印Ａの押圧方向の後端部において、ねじ１６でソケット本体部１に締結されている。
【００２６】
上記押圧部１２の押圧方向後方でその上面側には、操作レバー１３が設けられている。この操作レバー１３は、図４に示すように、回転軸１７を中心に回動するものであり、当接部１４ａ，１４ｂの表示パネル６の押圧方向（同図中矢印Ａ）後端部に立設された係止部１８を中央部に設けられた長孔１３ａに係止させ、操作レバー１３の矢印Ｂ方向の回動操作により係止部１８を移動させて当接部１４ａ，１４ｂに矢印Ｃ方向の退避動作を付与するようにしたものである。なお、操作レバー１３は、弦巻ばね１９により矢印Ｄ方向に付勢されており、ソケット本体部１の上面に設けられたストッパー２０で必要以上の回動が阻止されている。
【００２７】
上記ソケット本体部１の載置部７で図１に示す位置決め部７ａ，７ｂの側方には、接触子３及び調整手段４が設けられている。この接触子３は、表示パネル６に複数配列して形成された電極部９ｂと接触するものであり、例えば、表示パネル６の電極部９ｂと同ピッチで同数配列して設けられたＦＰＣ２５の電極端子部である。ＦＰＣ２５は、例えば、ポリイミドフィルムに銅の配線をエッチングして形成されるものであるため、微細な配線パターンも容易に形成することができる。
【００２８】
調整手段４は、接触子３を搭載して表示パネル６の電極部９ｂの配列方向に沿って移動可能にされ、接触子３及び表示パネル６の電極部９ｂを位置合わせするためのものであり、調整板２２と、偏心カム２３と、弦巻ばね２４とを備えている。
【００２９】
調整板２２は、接触子３をその上面に搭載してガイドレール２６に沿って直進移動するものであり、図５に示すように、矢印Ｅ１，Ｅ２の移動方向に長辺を有する長孔２７を移動方向の中心線に沿って二つ備え、この長孔２７を通してガイドピン２８でソケット本体部１の上面に移動可能な状態に保持されている。
【００３０】
上記調整板２２の移動方向の一側方には、偏心カム２３が設けられている。この偏心カム２３は、調整板２２に、図４に示す矢印Ｅ１，Ｅ２方向の往復直進動作を行わせるものであり、周面部２３ａに調整板２２の端面を当接させて軸心２９を中心に偏心回動するようになっている。そして、偏心カム２３の周面部２３ａには、外方に延設してレバー３０が設けられ、レバー３０の矢印Ｆ１，Ｆ２方向の回動操作により偏心カム２３を回動させることができるようになっている。
【００３１】
図４において、偏心カム２３は、右側が回転半径の大きい側で、左側が小さい側となるように設置されているため、例えばレバー３０を矢印Ｆ１方向に回動すると、偏心カム２３の右側周面部２３ａが調整板２２と当接することになり、調整板２２は同図中矢印Ｅ１方向に移動する。また、逆にレバー３０を矢印Ｆ２方向に回動すると、偏心カム２３の左側周面部２３ａが調整板２２と当接することになり、調整板２２は同図中矢印Ｅ２方向に移動する。このようにして、偏心カム２３の回動操作により、調整板２２に矢印Ｅ１，Ｅ２方向の往復直進動作を行わせることができる。なお、調整板２２に直進動作を行わせる手段は、上記レバー３０を備えた偏心カム２３に限られず、例えばボールねじ等で調整板２２を押すようにしてもよい。ただし、上述のレバーで操作する方式の方が自動化には対応し易い。
【００３２】
上記調整板２２の移動方向の他側方には、弾性部材としての弦巻ばね２４が設けられている。この弦巻ばね２４は、調整板２２を矢印Ｇ方向に付勢して偏心カム２３の周面部２３ａに当接させており、偏心カム２３の回動動作に伴って調整板２２に往復直進動作をさせるようにしている。
【００３３】
上記ソケット本体部１の一側辺部には、図１に示すように、ソケットカバー５が設けられている。このソケットカバー５は、載置部７上面に位置決め収納された表示パネル６を上方から押圧して、表示パネル６の電極部９ａと接触子３とを電気的に接触させるものであり、ソケット本体部１の右側辺部に枢軸ピン３１により開閉可能に設けられている。そして、枢軸ピン３１には弦巻ばね３２が巻き付けられており、その両端部をソケット本体部１の右側辺部側とソケットカバー５の下面側とに当接させることにより、その弾性力でソケットカバー５を常時、開方向に付勢させている。
【００３４】
ソケットカバー５の中央部の下面で、載置部７上面に収納された表示パネル６の電極部９ｂ及びそれに対向する側辺部には、図２に示すように、一対の押圧部材３３ａ，３３ｂが突出して設けられており、表示パネル６の基板９の裏面に当接して押圧するようになっている。そして、この押圧部材３３ａ，３３ｂ間には、貫通する開口部３４が設けられている。この開口部３４は、表示パネル６に外光を取り込むためのものであり、例えばＬＣＤパネルにおけるバックライトの取り付けを不要にするためのものである。また、この開口部３４を通してレーザ光を照射し、欠陥部のリペアをすることができる。
【００３５】
また、ソケットカバー５の、図２における枢軸ピン３１と反対側の側辺部には、係止レバー３５が、他の枢軸ピン３６で回動可能に設けられている。そして、枢軸ピン３６に巻き付けられた他の弦巻ばね３７の弾性力により、係止レバー３５は常時起立方向に付勢され、ソケット本体部１の左側面部に係止して閉状態を保つようになっている。
【００３６】
次に、このように構成された表示パネル用ソケットの使用について説明する。先ず、図１に示すようなソケットカバー５が開状態において、図４に示す弦巻ばね１９の矢印Ｄ方向の付勢力に抗して操作レバー１３を矢印Ｂ方向に回動して保持し、操作レバー１３の長孔１３ａに係止した係止部１８を後退させ、当接部１４ａ，１４ｂを載置部７から矢印Ｃ方向に退避させる。そして、載置部７上面を開放して表示パネル６が収納可能な状態にする。
【００３７】
次に、この状態において、載置部７上面に、表示パネル６の対向基板１０側（図３参照）を下にして収納する。そして、操作レバー１３の保持を解く。そうすると、操作レバー１３は、弦巻ばね１９の付勢力により矢印Ｂ方向と反対側に回動し、ストッパー２０に当接して止まる。このとき、当接部１４ａ，１４ｂは、表示パネル６の側面部６ａ，６ｂに当接して表示パネル６を矢印Ａ方向に押圧し、載置部７の位置決め部７ａ〜７ｃに表示パネル６の他の側面部を密接させてこれを位置決めして保持する。
【００３８】
こうして、表示パネル６が保持されると、次に、図示省略のルーペを通して表示パネル６の電極部９ｂ（図３参照）を覗いた状態で、レバー３０の矢印Ｆ１，Ｆ２方向の操作により調整板２２を矢印Ｅ１，Ｅ２方向に微動し、調整板２２に搭載したＦＰＣ２５を移動して、ＦＰＣ２５の接触子３が表示パネル６の対応する電極部９ｂに一致するように位置合わせ調整を行う。
【００３９】
ＦＰＣ２５の接触子３と表示パネル６の電極部９ｂとの位置合わせができると、図２に示すソケットカバー５を閉じ、係止レバー３５をソケット本体部１の側面部に係止させて、ソケットカバー５が固定される。このとき、ソケットカバー５の押圧部材３３ａ，３３ｂにより表示パネル６が基板９（図３参照）の裏面から押圧され、表示パネル６の電極部９ｂとＦＰＣ２５の接触子３とが電気的に接触することになる。なお、ソケットカバー５が閉じられる際に、図２中右側の押圧部材３３ｂが先に表示パネル６に接触することになるが、押圧部材３３ｂに対向する載置部７側に緩衝部材８ｂを備え、この緩衝部材８ｂで表示パネル６を弾力的に支持しているため、押圧部材３３ｂが片当たりしても表示パネル６の位置がずれることがない。
【００４０】
このように、本発明の表示パネル用ソケットによれば、ソケット本体部１の載置部７上面に収納された表示パネル６を押圧手段２で斜め方向に押圧し、載置部７の位置決め部７ａ〜７ｃに位置決めして保持すると共に、調整手段４に搭載した接触子３を調整手段４の微調整により表示パネル６の電極部９ａの配列方向に移動して、接触子３と電極部９ａとを互いに一致するように位置合わせ調整することができるようにしているため、表示パネル６の切り出し精度の影響を排除して、０．１μｍ以下の電極ピッチを有する小型の表示パネル６においても、互いに対応する電極部９ａと接触子３とを高精度に位置合わせして電気的に接続させることができる。これにより、小型の表示パネルにおいても、ＦＰＣを接着することなくセルモジュール単体で品質検査または耐久試験、バーンイン試験等を容易に実施することができる。また、表示パネル用ソケットのサイズを小型化でき、例えばＬＣＤパネルのキャリアとしても使用することができる。
【００４１】
また、表示パネル６の電極部９ａを緩衝部材８ａで支持するようにしているので、表示パネル６に対する上方からの押圧を小さくしても、接触子３と電極部９ａとを確実に電気的に接触させることができる。
【００４２】
図６は、押圧手段２の他の実施形態を示す平面図である。この押圧手段２は、接触部として互いに分離された二つの当接部１４ａ，１４ｂを有して表示パネル６の直交する側面部６ａ，６ｂのそれぞれに当接し、接触部の表示パネル６の押圧方向（同図中矢印Ａ方向）後方部にて一端部が回転軸３９に回動可能に軸支され、接触部を支持して他の回転軸４０で回動可能に軸支された可動板４１の一部の係止片４２に係止された操作レバー１３の回動操作により回動板４１を回動させて接触部に退避動作をするようにしたものである。なお、当接部１４ａ，１４ｂは、この当接部１４ａ，１４ｂに対して線対称に設けたループ状弾性部１５ａ，１５ｂを介して回転板４１に支持されている。さらに、係止片４２は、弦巻ばね１９で操作レバー１３の根元部１３ａ方向に付勢されこの根元部１３ａに常時密接するようにされている。
【００４３】
この場合、当接部１４ａ，１４ｂは、載置部７上面に載置された表示パネル６の側面部６ａ，６ｂをそれぞれループ状弾性部１５ａ，１５ｂの弾性力により独立して弾力的に押圧するので、表示パネル６の切り出し精度が悪いときでも、当接部１４ａ，１４ｂは共に表示パネル６の側面部６ａ，６ｂに当接して押圧することができる。
【００４４】
また、操作レバー１３を、図６の矢印Ｈ方向に回動させると、操作レバー１３の根元部１３ａが係止片４２の側面を押して可動板４１を回転軸４０を中心に回動させ、一対の当接部１４ａ，１４ｂを矢印Ｃ方向で載置部７から退避させることができる。ここで、操作レバー１３は、回動操作により接触部としての当接部１４ａ，１４ｂを載置部７から退避させた状態にて操作レバー１３の根元部１３ａに可動板４１の一部の係止片４２を係止して可動板４１の回動を阻止する部分を形成している。具体的には、図７に示すように、ソケット本体部１の上方から見たとき、係止片４２と当接する操作レバー１３の根元部１３ａの部位に、操作レバー１３の回転軸３９の中心Ｏを頂点とする二等辺三角形ＯＰＱの底辺ＰＱに相当する辺部１３ｂを形成し、この辺部１３ｂを可動板４１の回動を阻止する部分としたものである。したがって、図８に示すように、操作レバー１３の根元部１３ａに形成した辺部１３ｂが係止片４２の側面に当接するまで、操作レバー１３を同図中矢印Ｈ方向に回動すると、操作レバー１３の回動が安定的にロックされ、可動板４１の回動が阻止される。そして、載置部７上面が開状態に保たれる。これは、載置部７の開状態において、図７に示すように、弦巻ばね１９で付勢された係止片４２（図６参照）により操作レバー１３の辺部１３ｂに作用する力のベクトルＶが、回転軸３９の中心Ｏと一致するため操作レバー１３に作用するモーメントの発生がなくなるためである。
【００４５】
なお、操作レバー１３の回動がロックされる状態は、図７に示す状態に限られず、例えば図９（ａ）に示すように、操作レバー１３の根元部１３ａの角部１３ｃが係止片４２と当接した状態において、係止片４２の作用力のベクトルＶが回転軸３９の中心と一致する状態においても、操作レバー１３の矢印Ｈ，Ｉ方向のモーメントが相殺されるため、操作レバー１３の回動はロックされることになる。しかし、この状態は極めて不安定であるため、同図（ｂ）に示すように、係止片４２に操作レバー１３の角部１３ｃを越えた部位を当接させ、同図矢印Ｈ左方向のモーメントを発生させた状態にてこのモーメントを阻止するストッパー２０を設けることにより操作レバー１３の回動が安定的にロックされる。
【００４６】
この場合、操作レバー１３のロックを解除するためには、操作レバー１３を矢印Ｉ方向のモーメントが発生すまで回動すればよい。このとき、操作レバー１３は、弦巻ばね１９の矢印Ｄ方向の付勢力により押されて初期状態まで自動復帰することになる。
【００４７】
【発明の効果】
本発明は以上のように構成されたので、請求項１に係る発明によれば、ソケット本体部の上面に設けた矩形状の載置部上面に表示パネルを収納し、押圧手段で表示パネルの一隅部をこれに対抗する載置部内側壁に向けて弾力的に押圧して当接させ、調整手段で表示パネルに複数配列して形成された電極部に対して接触子を同配列方向に移動して位置合わせし、ソケットカバーで表示パネルを上方から押圧して電極部及び接触子を接触させることができる。したがって、電極配列ピッチの小さい小型の表示パネルにおいても電極部及び接触子を高精度に位置合わせして電気的接続を確保することができる。これにより、小型の表示パネルにおいても、ＦＰＣを接着することなくセルモジュール単体で品質検査または耐久試験、バーンイン試験等を実施することができ能率的である。
【００４８】
また、請求項２に係る発明によれば、接触部に対して線対称に設けた一対のループ状弾性部で接触部を弾力的に支持し、この接触部で表示パネルの一隅部にて直交する側面部のそれぞれを押圧することができる。したがって、表示パネルを常に一定圧力で押圧することができる。
【００４９】
さらに、請求項３に係る発明によれば、互いに連結された二つの当接部で表示パネルの直交する側面部のそれぞれに当接し、接触部の表示パネルの押圧方向後方部にて一端部が回動可能に軸支された操作レバーで接触部の一部を係止し、操作レバーを回動して接触部に退避動作をさせることができる。したがって、表示パネルの両側面部を均等に押圧して位置決め保持することができると共に、操作レバーを回動操作して接触部を載置部上面から退避させることによって、表示パネルを容易に収納することができる。
【００５０】
さらにまた、請求項４に係る発明によれば、互いに分離された二つの当接部で表示パネルの直交する側面部のそれぞれに当接し、接触部の表示パネルの押圧方向後方部にて一端部が回動可能に軸支された操作レバーで接触部を支持して他の回転軸で回動可能に軸支された可動板の一部を係止し、操作レバーを回動して回動板を回動させ、接触部に退避動作をさせることができる。したがって、表示パネルの切り出し精度が悪いときでも、表示パネルの両側面部を押圧することができると共に、操作レバーを回動操作して接触部を載置部上部から退避させることによって、表示パネルを容易に収納することができる。
【００５１】
そして、請求項５に係る発明によれば、操作レバーの根元部に形成された可動板の回動を阻止する部分で可動板の一部を係止して可動板の回動を阻止し、接触部を載置部から退避させた状態に保持することができる。したがって、載置部を安定に開放状態に保持することができる。
【００５２】
また、請求項６に係る発明によれば、フレキシブル基板の電極端子部で表示パネルの電極部と同ピッチで同数配列した接触子を形成することができる。したがって、微細ピッチで形成された電極部を有する小型の表示パネルに対応した接触子をフレキシブル基板の電極端子部で容易に形成することができる。
【００５３】
さらに、請求項７に係る発明によれば、調整板に接触子を搭載し、弾性部材で調整板を付勢して偏心カムの周面部に当接し、カムの周面部から外方に延設するレバーで偏心カムを回動操作して調整板に往復直進動作をさせることができる。したがって、表示パネルの電極部と接触子の位置合わせ調整を高精度に行うことができる。
【００５４】
さらにまた、請求項８に係る発明によれば、緩衝部材で載置部上面に収納された表示パネルの少なくとも電極部を下方から支持することができる。したがって、小さな押圧でも表示パネルの電極部と接触子の電気的接触を確実に行うことができる。
【００５５】
そして、請求項９に係る発明によれば、貫通する開口部で載置部上面に収納された表示パネルの表示部の観察を可能にすることができる。したがって、表示パネルの点灯検査も可能とすることができる。
【００５６】
また、請求項１０に係る発明によれば、ソケットカバーの下面に突出して設けた押圧部材で載置部上面に収納された表示パネルの少なくとも対向する側辺部を押圧することができる。したがって、表示パネルを安定して位置決め保持することができ、電極部と接触子との電気的接続を確実に行うことができる。
【００５７】
さらに、請求項１１に係る発明によれば、一対の押圧部材間に設けた開口部で外光を取り入れ、表示パネルの表示状態を観察可能にすることができる。したがって、表示パネルを照明するバックライトを不要にすることができる。
【００５８】
そして、請求項１２に係る発明によれば、ソケットカバーを、一端部をソケット本体部の側辺部に保持して回動し、他端部に設けた係止レバーでソケット本体部の側面部に係止して固定することができる。したがって、ソケットサイズを小型化できるので表示パネルのキャリアとしても使用することができる。
【図面の簡単な説明】
【図１】本発明による表示パネル用ソケットの実施の形態を示す平面図である。
【図２】ソケットカバーの開閉状態を示す側面図である。
【図３】表示パネルの一形態を示す説明図である。
【図４】上記表示パネル用ソケットの押圧手段及び調整手段を拡大して示す説明図である。
【図５】図１のＹ−Ｙ線断面図である。
【図６】押圧手段の他の実施形態を示す平面図である。
【図７】図６の操作レバーのロック構造を示す説明図である。
【図８】図６の操作レバーのロック状態を示す説明図である。
【図９】図６の操作レバーの他のロック構造を示す説明図である。
【符号の説明】
１…ソケット本体部
２…押圧手段
３…接触子
４…調整手段
５…ソケットカバー
６…表示パネル
７…載置部
７ａ〜７ｄ…位置決め部
８ａ，８ｂ…緩衝部材
９ｂ…電極部
１１，３４…開口部
１３…操作レバー
１４ａ，１４ｂ…当接部（接触部）
１５ａ，１５ｂ…ループ状弾性部
１７，３９，４０…回転軸
１８…係止部
１９，２４…弦巻ばね
２２…調整板
２３…偏心カム
２５…ＦＰＣ
３０…レバー
３３ａ，３３ｂ…押圧部材
３５…係止レバー
４１…可動板
４２…係止片
【図１】
2004109593.tif 000003
【図２】
2004109593.tif 000004
【図３】
2004109593.tif 000005
【図４】
2004109593.tif 000006
【図５】
2004109593.tif 000007
【図６】
2004109593.tif 000008
【図７】
2004109593.tif 000009
【図８】
2004109593.tif 000010
【図９】
2004109593.tif 000011